(57)【要約】【課題】ＭＩＭＯ方式が適用されている場合に、適切なリンク・アダプテーションを行うこと。【解決手段】本発明に係る無線基地局ｅＮＢは、  ＭＩＭＯ方式を用いて、移動局に対して、送信ストリーム数が適応的に可変となる第１下り信号及び送信ストリーム数が固定的に１である第２下り信号を同時に送信することができる無線基地局であって、  前記移動局によって送信された前記第１下り信号の受信品質を示す情報を受信するように構成されている受信品質受信部と、  前記第１下り信号のストリーム数に基づいて、前記受信品質を示す情報の調整値を算出するように構成されている受信品質調整部と、  算出された調整値に基づいて、前記第２下り信号についての適応変復調処理及び送信電力制御処理を行うように構成されている処理部とを具備する。【選択図】図５
2010212856.tif 000002
【特許請求の範囲】
【請求項１】
ＭＩＭＯ方式を用いて、移動局に対して、送信ストリーム数が適応的に可変となる第１下り信号及び送信ストリーム数が固定的に１である第２下り信号を同時に送信することができる無線基地局であって、
前記移動局によって送信された前記第１下り信号の受信品質を示す情報を受信するように構成されている受信品質受信部と、
前記第１下り信号のストリーム数に基づいて、前記受信品質を示す情報の調整値を算出するように構成されている受信品質調整部と、
算出された調整値に基づいて、前記第２下り信号についての適応変復調処理及び送信電力制御処理を行うように構成されている処理部とを具備することを特徴とする無線基地局。
【請求項２】
前記第１下り信号のストリーム数が複数である場合、前記受信品質調整部は、受信した前記受信品質を示す情報のうちの最も大きいもの又は最も小さいもののいずれかを前記調整値として選択するように構成されていることを特徴とする請求項１に記載の無線基地局。
【請求項３】
前記第１下り信号のストリーム数が複数である場合、前記受信品質調整部は、受信した前記受信品質を示す情報を合計することによって、前記調整値を算出するように構成されていることを特徴とする請求項１に記載の無線基地局。
【請求項４】
前記第１下り信号のストリーム数が複数である場合、前記受信品質調整部は、受信した前記受信品質を示す情報を平均することによって、前記調整値を算出するように構成されていることを特徴とする請求項１に記載の無線基地局。
【請求項５】
前記第１下り信号のストリーム数が複数である場合、前記受信品質調整部は、受信した前記受信品質を示す情報のいずれか１つに対して所定オフセット値を加えることによって、前記調整値を算出するように構成されていることを特徴とする請求項１に記載の無線基地局。
【請求項６】
前記第１下り信号のストリーム数が複数である場合、前記受信品質調整部は、受信した前記受信品質を示す情報の合計値に対して所定オフセット値を加えることによって、前記調整値を算出するように構成されていることを特徴とする請求項１に記載の無線基地局。
【請求項７】
前記第１下り信号のストリーム数が複数である場合、前記受信品質調整部は、受信した前記受信品質を示す情報の平均値に対して所定オフセット値を加えることによって、前記調整値を算出するように構成されていることを特徴とする請求項１に記載の無線基地局。
【請求項８】
前記第１下り信号は、物理下り共有チャネルを介してシステム帯域全体に渡って送信される下り参照信号であることを特徴とする請求項１乃至７のいずれか一項に記載の無線基地局。
【請求項９】
前記第２下り信号は、物理下り制御チャネルを介して送信される下り制御信号、物理ＨＡＲＱインディケータチャネルを介して送信される送達確認信号、物理制御フォーマットインディケータチャネルを介して送信される制御フォーマット信号、又は、物理下り共有チャネルを介して送信されるセミパーシステントスケジューリング適用時の下りデータ信号の少なくとも１つであることを特徴とする請求項１乃至８のいずれか一項に記載の無線基地局。
【発明の詳細な説明】
【技術分野】
【０００１】
本発明は、無線基地局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、無線基地局ｅＮＢは、移動局ＵＥからフィードバックされたＣＱＩ（Ｃｈａｎｎｅｌ  Ｑｕａｌｉｔｙ  Ｉｎｄｉｃａｔｏｒ）に基づいて、リンク・アダプテーション（Ｌｉｎｋ  Ａｄａｐｔａｔｉｏｎ）を行うことができるように構成されている。
【先行技術文献】
【非特許文献】
【０００３】
【非特許文献１】３ＧＰＰ  ＴＳ３６.２１１、“Ｐｈｙｓｉｃａｌ  Ｃｈａｎｎｅｌｓ  ａｎｄ  Ｍｏｄｕｌａｔｉｏｎ”
【非特許文献２】３ＧＰＰ  ＴＳ３６.２１２、“Ｍｕｌｔｉｐｌｅｘｉｎｇ  ａｎｄ  ｃｈａｎｎｅｌ ｃｏｄｉｎｇ”
【非特許文献３】３ＧＰＰ  ＴＳ３６.２１３、“Ｐｈｙｓｉｃａｌ  ｌａｙｅｒ  ｐｒｏｃｅｄｕｒｅｓ”
【発明の概要】
【発明が解決しようとする課題】
【０００４】
しかしながら、３ＧＰＰでは、ＬＴＥ方式の移動通信システムにおいて、ＭＩＭＯ（Ｍｕｌｔｉｐｌｅ  Ｉｎｐｕｔ  Ｍｕｌｔｉｐｌｅ  Ｏｕｔｐｕｔ）方式が適用されている場合に、リンク・アダプテーションをどのように行うべきか規定されていないため、適切なリンク・アダプテーションを行うことができない可能性があるという問題点があった。
【０００５】
そこで、本発明は、上述の課題に鑑みてなされたものであり、ＭＩＭＯ方式が適用されている場合に、適切なリンク・アダプテーションを行うことができる無線基地局を提供することを目的とする。
【課題を解決するための手段】
【０００６】
本発明の第１の特徴は、無線基地局であって、ＭＩＭＯ方式を用いて、移動局に対して、送信ストリーム数が適応的に可変となる第１下り信号及び送信ストリーム数が固定的に１である第２下り信号を同時に送信することができる無線基地局であって、前記移動局によって送信された前記第１下り信号の受信品質を示す情報を受信するように構成されている受信品質受信部と、前記第１下り信号のストリーム数に基づいて、前記受信品質を示す情報の調整値を算出するように構成されている受信品質調整部と、算出された調整値に基づいて、前記第２下り信号についての適応変復調処理及び送信電力制御処理を行うように構成されている処理部とを具備することを要旨とする。
【発明の効果】
【０００７】
以上説明したように、本発明によれば、ＭＩＭＯ方式が適用されている場合に、適切なリンク・アダプテーションを行うことができる無線基地局を提供することができる。
【図面の簡単な説明】
【０００８】
【図１】本発明の第１の実施形態に係る移動通信システムについて説明するための図である。
【図２】本発明の第１の実施形態に係る無線基地局の機能ブロック図である。
【図３】本発明の第１の実施形態に係る移動通信システムにおいて移動局によって送信されるＣＱＩについて説明するための図である。
【図４】本発明の第１の実施形態に係る移動通信システムにおいて移動局によって送信されるＣＱＩについて説明するための図である。
【図５】本発明の第１の実施形態に係る移動通信システムで用いられるランクの適応制御（Ｒａｎｋ  Ａｄａｐｔａｔｉｏｎ）について説明するための図である。
【図６】本発明の第１の実施形態に係る無線基地局の適応変復調処理部によって管理されている対応表の一例を示す図である。
【図７】本発明の第１の実施形態に係る無線基地局の動作を説明するための図である。
【発明を実施するための形態】
【０００９】
（本発明の第１の実施形態に係る移動通信システムの構成）
図１乃至図６を参照して、本発明の第１の実施形態に係る移動通信システムの構成について説明する。
【００１０】
本実施形態に係る移動通信システムは、ＬＴＥ方式の移動通信システムであって、本実施形態に係る移動通信システムでは、図１に示すように、無線基地局ｅＮＢは、ＭＩＭＯ方式を用いて、移動局ＵＥに対して、下り信号を送信することができるように構成されている。
【００１１】
例えば、かかる移動通信システムにおいて、無線基地局ｅＮＢは、ＭＩＭＯ方式を用いて、送信ストリーム数が適応的に可変となる第１下り信号及び送信ストリーム数が固定的に１である第２下り信号を同時に送信することができる。
【００１２】
ここで、第１下り信号は、ＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャネル）を介して送信されるダイナミックスケジューリング（Ｄｙｎａｍｉｃ  ｓｃｈｅｄｕｌｉｎｇ）が適用されている下りデータ信号である。
【００１３】
また、第２下り信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）を介して送信される下り制御信号（ＰＤＣＣＨ信号）、ＰＨＩＣＨ（Ｐｈｙｓｉｃａｌ  ＨＡＲＱ  Ｉｎｄｉｃａｔｏｒ  Ｃｈａｎｎｅｌ、物理ＨＡＲＱインディケータチャネル）を介して送信される送達確認信号（ＡＣＫ/ＮＡＣＫ、ＰＨＩＣＨ信号）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、物理制御フォーマットインディケータチャネル）を介して送信される制御フォーマット信号（ＰＣＦＩＣＨ信号）、又は、ＰＤＳＣＨ（物理下り共有チャネル）を介して送信されるセミパーシステントスケジューリング（ＳＰＳ：Ｓｅｍｉ-Ｐｅｒｓｉｓｔｅｎｔ  Ｓｃｈｅｄｕｌｉｎｇ）が適用されている下りデータ信号（ＳＰＳ-ＰＤＳＣＨ信号）の少なくとも１つであってもよい。
【００１４】
また、システム帯域全体に渡って、データ復調用及び受信品質測定用の「Ｄｏｗｎｌｉｎｋ  Ｒｅｆｅｒｅｎｃｅ  Ｓｉｇｎａｌ（下り参照信号）」が送信される。
【００１５】
かかるＭＩＭＯ方式としては、「閉ループＭＩＭＯ方式（Ｃｌｏｓｅｄ-ｌｏｏｐ  ＭＩＭＯ）」及び「開ループＭＩＭＯ方式（Ｏｐｅｎ-ｌｏｏｐ  ＭＩＭＯ）」が存在する。
【００１６】
本実施形態に係る移動通信システムにおいて、閉ループＭＩＭＯ方式が適用されている場合、移動局ＵＥと無線基地局ｅＮＢとの間で、共通の「Ｐｒｅｃｏｄｉｎｇ  Ｖｅｃｔｏｒの集合（Ｃｏｄｅｂｏｏｋ）」が保持され、移動局ＵＥが、最も受信特性の良い第１下り信号に対応するＰｒｅｃｏｄｉｎｇ  Ｖｅｃｔｏｒを選択し、無線基地局ｅＮＢに対してフィードバックするように構成されている。
【００１７】
そして、無線基地局ｅＮＢは、移動局ＵＥによってフィードバックされたＰｒｅｃｏｄｉｎｇ  Ｖｅｃｔｏｒに基づいて、送信アンテナウェイトを決定する、すなわち、最適な送信ビームを形成するように構成されている。
【００１８】
一方、本実施形態に係る移動通信システムにおいて、開ループＭＩＭＯ方式が適用されている場合、無線基地局ｅＮＢは、送信アンテナが２本の場合、固定のＰｒｅｃｏｄｉｎｇ  Ｖｅｃｔｏｒを利用し、送信アンテナが４本の場合、周期的に変更されるＰｒｅｃｏｄｉｎｇ  Ｖｅｃｔｏｒを利用するように構成されており、移動局ＵＥによってフィードバックされるＰｒｅｃｏｄｉｎｇ  Ｖｅｃｔｏｒを利用しないように構成されている。
【００１９】
図２に示すように、本実施形態に係る無線基地局ｅＮＢは、ＣＱＩ受信部１１と、スケジューリング処理部１２と、適応変復調処理部１３と、ＣＱＩ調整部１４と、適応変復調処理部１５と、送信電力制御処理部１６と、ランク制御部１７と、送信モード制御部１８とを具備している。
【００２０】
ＣＱＩ受信部１１は、移動局ＵＥによって送信されたＣＱＩ（第１下り信号の受信品質を示す情報）を受信するように構成されている。
【００２１】
ここで、移動局ＵＥは、「Ｄｏｗｎｌｉｎｋ  Ｒｅｆｅｒｅｎｃｅ  Ｓｉｇｎａｌ」を用いて、下りリンクにおける第１下り信号の受信品質（例えば、ＳＩＲ：Ｓｉｇｎａｌ  ｔｏ  Ｉｎｔｅｒｆｅｒｅｎｃｅ  Ｒａｔｉｏ）を測定し、測定した受信品質を示す情報であるＣＱＩを、ＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）を介して無線基地局ｅＮＢに送信するように構成されている。
【００２２】
なお、移動局ＵＥは、上りリンクのデータ信号（ＰＵＳＣＨ、トランスポートチャネルとしては、ＵＬ-ＳＣＨ）を送信するサブフレームにおいては、上述のＣＱＩを、ＰＵＳＣＨに多重して無線基地局ｅＮＢに送信するように構成されていてもよい。
【００２３】
なお、ＣＱＩとしては、「Ｗｉｄｅｂａｎｄ  ＣＱＩ」及び「Ｓｕｂｂａｎｄ  ＣＱＩ」の２種類が知られている。
【００２４】
「Ｗｉｄｅｂａｎｄ  ＣＱＩ」は、システム帯域幅全体において測定された受信品質を示す情報であり、「Ｓｕｂｂａｎｄ  ＣＱＩ」は、図３に示すように、システム帯域幅を分割することによって得られたＳｕｂｂａｎｄごとに測定された受信品質を示す情報である。
【００２５】
図３に示すように、無線基地局ｅＮＢは、「Ｓｕｂｂａｎｄ  ＣＱＩ」を利用することによって、移動局ＵＥにおける受信状態の良い周波数帯域のリソースブロックを用いて、下り信号を送信することができる。
【００２６】
なお、ＳＰＳ-ＰＤＳＣＨ信号は、基本的に送信周期ごとに同じリソースブロックで送信される信号であり、周波数帯域におけるスケジューリングが適用されず、システム帯域全体に渡ってマッピングされるように構成されているため、「Ｗｉｄｅｂａｎｄ  ＣＱＩ」に基づいてリンク・アダプテーションが行われることが好ましい。
【００２７】
また、同様に、ＰＤＣＣＨ信号やＰＨＩＣＨ信号やＰＣＦＩＣＨ信号についても、周波数ダイバーシチ効果を得るために、システム帯域全体に渡ってマッピングされるように構成されているため、「Ｗｉｄｅｂａｎｄ  ＣＱＩ」に基づいてリンク・アダプテーションが行われることが好ましい。
【００２８】
また、移動局ＵＥは、基本的に、全ての送信モードにおいて、無線基地局ｅＮＢに対して、「Ｗｉｄｅｂａｎｄ  ＣＱＩ」を送信するように構成されている。なお、移動局ＵＥは、無線基地局ｅＮＢに対して、「Ｗｉｄｅｂａｎｄ  ＣＱＩ」に加えて、「Ｓｕｂｂａｎｄ  ＣＱＩ」を送信するように構成されていてもよい。
【００２９】
また、移動局ＵＥは、Ｃｏｄｅｗｏｒｄごとに、ＣＱＩを算出するように構成されている。
【００３０】
ここで、Ｃｏｄｅｗｏｒｄは、１サブフレーム（ＴＴＩ：Ｔｒａｎｓｍｉｓｓｉｏｎ  Ｔｉｍｅ  Ｉｎｔｅｒｖａｌ）で送信される符号語（ＴＢ：Ｔｒａｎｓｐｏｒｔ  Ｂｌｏｃｋ）を示し、Ｃｏｄｅｗｏｒｄの数は、図４に示すように、第１下り信号（例えば、ＰＤＳＣＨ信号）の送信モードによって異なる。
【００３１】
図４に示すように、第１下り信号の送信モードが「単一アンテナ」及び「送信ダイバーシチ」である場合、Ｃｏｄｅｗｏｒｄの数は「１」であり、送信される「Ｗｉｄｅｂａｎｄ  ＣＱＩ」の数は「１」である。
【００３２】
また、第１下り信号の送信モードが「Ｏｐｅｎ-ｌｏｏｐ  ＭＩＭＯ」である場合、Ｃｏｄｅｗｏｒｄの数は「１」又は「２」であり、送信される「Ｗｉｄｅｂａｎｄ  ＣＱＩ」の数は「１」である。
【００３３】
さらに、第１下り信号の送信モードが「Ｃｌｏｓｅｄ-ｌｏｏｐ  ＭＩＭＯ」である場合、Ｃｏｄｅｗｏｒｄの数は「１」又は「２」であり、送信される「Ｗｉｄｅｂａｎｄ  ＣＱＩ」の数は「１」又は「２」である。
【００３４】
なお、第１下り信号の送信モードが「Ｏｐｅｎ-ｌｏｏｐ  ＭＩＭＯ」又は「Ｃｌｏｓｅｄ-ｌｏｏｐ  ＭＩＭＯ」である場合には、移動局ＵＥにおける第１下り信号の受信状態（例えば、パスロスや受信ＳＩＮＲ）に基づいて、移動局ＵＥによって送信可能なＣｏｄｅｗｏｒｄの数が変化する。
【００３５】
また、第１下り信号の送信モードが「Ｏｐｅｎ-ｌｏｏｐ  ＭＩＭＯ」である場合には、Ｃｏｄｅｗｏｒｄの数が「２」である場合であっても、オーバーヘッド削減の観点から、送信される「Ｗｉｄｅｂａｎｄ  ＣＱＩ」の数は「１」となっている。
【００３６】
以下、本実施形態では、ＣＱＩとして「Ｗｉｄｅｂａｎｄ  ＣＱＩ」を用いることとするため、特に断りが無い場合、ＣＱＩは「Ｗｉｄｅｂａｎｄ  ＣＱＩ」を示すものとする。
【００３７】
送信モード制御部１８は、無線基地局ｅＮＢにおいて適用すべき第１下り信号（例えば、ＰＤＳＣＨ信号）の送信モードを制御するように構成されている。
【００３８】
ランク制御部１７は、移動局ＵＥによって通知されたＲＩ（Ｒａｎｋ  Ｉｎｄｉｃａｔｏｒ）に基づいて、第１下り信号に対して適用すべきランク（Ｒａｎｋ）を決定するように構成されている。
【００３９】
ここで、ランクは、ＭＩＭＯ方式を用いて同時に送信すべき第１下り信号のストリーム数を示す値である。
【００４０】
移動局ＵＥは、下りリンクにおける伝搬路状況（受信ＳＩＮＲやアンテナフェージング相関等）に基づいて、最適なランクを適応的に制御するように構成されている。
【００４１】
例えば、図５に示すように、移動局ＵＥ＃２がセル中央付近に位置しており、空間相関が小さく、移動局ＵＥ＃２における第１下り信号の受信品質（例えば、パスロスや受信ＳＩＮＲ）が良い場合、ランクを「２」とすること（空間多重（ＳＤＭ：Ｓｐａｔｉａｌ  Ｄｉｖｉｓｉｏｎ  Ｍｕｌｔｉｐｌｅｘｉｎｇ）を用いること）によって、すなわち、Ｃｏｄｅｗｏｒｄの数を「２」とすることによって、高速な伝送速度を実現することができる。
【００４２】
一方、図５に示すように、移動局ＵＥ＃１がセル端近傍に位置しており、空間相関が大きく、移動局ＵＥ＃１における第１下り信号の受信品質（例えば、パスロスや受信ＳＩＮＲ）が悪い場合、ランクを「１」とすること（送信ダイバーシチを用いること）によって、すなわち、Ｃｏｄｅｗｏｒｄの数を「１」とすることによって、移動局ＵＥ＃１における第１下り信号の受信品質の改善及びカバーエリアの拡大を実現することができる。
【００４３】
ここで、送信アンテナが２本であり、ＭＩＭＯ方式が適用されている移動通信システムにおいて、ランクが変更された場合、移動局ＵＥによって送信されるＣＱＩの性質及び数が変更される。以下、かかる移動局ＵＥによって送信されるＣＱＩについて説明する。
【００４４】
第１に、ランクが「１」である（すなわち、Ｃｏｄｅｗｏｒｄの数が「１」である）場合に、移動局ＵＥによって送信されるＣＱＩについて説明する。
【００４５】
かかる場合、ＣＱＩは、１つのＣｏｄｅｗｏｒｄに対して測定されるものであり、送信ダイバーシチゲインを含むＳＩＲに相当する。
【００４６】
ここで、第１下り信号の送信モードが「Ｏｐｅｎ-ｌｏｏｐ  ＭＩＭＯ」である場合、ＳＦＢＣ（Ｓｐａｃｅ-ｆｒｅｑｕｅｎｃｙ  Ｂｌｏｃｋ  Ｃｏｄｉｎｇ）が適用されているため、上述のＳＩＲは、理想的には伝搬路周波数応答の最大比合成に相当する。
【００４７】
また、第１下り信号の送信モードが「Ｃｌｏｓｅｄ-ｌｏｏｐ  ＭＩＭＯ」である場合、最適なＰｒｅｃｏｄｉｎｇ  Ｖｅｃｔｏｒが選択されているため、上述のＳＩＲは、第１下り信号の送信モードが「Ｏｐｅｎ-ｌｏｏｐ  ＭＩＭＯ」である場合のＳＩＲと比べて高いものとなる。
【００４８】
第２に、ランクが「２」である（すなわち、Ｃｏｄｅｗｏｒｄの数が「２」である）場合に、移動局ＵＥによって送信されるＣＱＩについて説明する。
【００４９】
かかる場合、ＣＱＩは、各Ｃｏｄｅｗｏｒｄに対して測定されるものである。ここで、各Ｃｏｄｅｗｏｒｄが、お互いに干渉の影響を受けるため、かかる場合のＳＩＲは、ランクが「１」である場合のＳＩＲと比べて、単純な受信電力が半分になったことに起因する影響以上に劣化することが予想される。
【００５０】
なお、第１下り信号の送信モードが「Ｃｌｏｓｅｄ-ｌｏｏｐ  ＭＩＭＯ」である場合には、最適なＰｒｅｃｏｄｉｎｇ  Ｖｅｃｔｏｒが選択されているため、第１下り信号の送信モードが「Ｏｐｅｎ-ｌｏｏｐ  ＭＩＭＯ」である場合よりも、ＳＩＲの劣化量が小さいことが予想される。
【００５１】
このように、ＭＩＭＯ方式が適用されている場合、ＣＱＩは、実際の伝搬路状態だけではなく、同時に送信する第１下り信号のストリーム数（ランク）に大きく依存する。
【００５２】
これに対して、第２下り信号（例えば、下り制御信号等）には、第１下り信号の送信モードに関わらず、常に送信ダイバーシチ（ＳＦＢＣ）が適用されるため、上述のランクによって、第１下り信号（例えば、ＰＤＳＣＨ信号）のＳＩＲと第２下り信号のＳＩＲとが大きく異なってくる可能性がある。
【００５３】
すなわち、ランクが「１」である場合、第１下り信号及び第２下り信号の両方に対して送信ダイバーシチが適用されるため、第１下り信号のＳＩＲと第２下り信号のＳＩＲとの差が顕著ではない。
【００５４】
これに対して、ランクが「２」である場合、第１下り信号については、Ｃｏｄｅｗｏｒｄの数（ストリーム数）が「２」である空間多重が適用されるため、第１下り信号についてのＳＩＲは、第２下り信号についてのＳＩＲよりも小さくなる。
【００５５】
したがって、ランクが「２」である場合には、無線基地局ｅＮＢが、かかる第１下り信号についてのＣＱＩに基づいて、第２下り信号（例えば、下り制御信号）に対して、リンク・アダプテーション（例えば、スケジューリング処理や適応変復調処理や送信電力制御処理等）を行うと、以下のような問題点が発生する。
【００５６】
第１の問題点としては、移動局ＵＥによって報告されたＣＱＩが、移動局ＵＥによって実際に測定される第２下り信号の受信品質よりも小さい値を示すため、第２下り信号（例えば、下り制御信号）の送信電力が、かかるＣＱＩに基づく送信電力制御処理によって、必要以上の送信電力となってしまうという問題点が想定される。
【００５７】
また、第２の問題点としては、移動局ＵＥによって報告されたＣＱＩが、移動局ＵＥによって実際に測定される第２下り信号の受信品質よりも小さい値を示すため、かかるＣＱＩに基づいて第２下り信号（例えば、ＰＤＣＣＨ信号）の符号化率（例えば、Ａｇｇｒｅｇａｔｉｏｎ  Ｌｅｖｅｌ）を決定すると、下りリンクにおけるリソースが無駄になってしまうという問題点が想定される。
【００５８】
ここで、「Ａｇｇｒｅｇａｔｉｏｎ  Ｌｅｖｅｌ」は、移動局ＵＥから報告されたＣＱＩに基づいて、ＰＤＣＣＨ信号に対して制御チャネル要素（ＣＣＥ：Ｃｏｎｔｒｏｌ  Ｃｈａｎｎｅｌ  Ｅｌｅｍｅｎｔ）を何個連続で割り当てるかを示すものである。
【００５９】
また、制御チャネル要素は、９個の連続するリソース要素グループ（ＲＥＧ：Ｒｅｓｏｕｒｃｅ  Ｅｌｅｍｅｎｔ  Ｇｒｏｕｐ）によって構成されている。また、リソース要素グループは、４個の連続するリソース要素（ＲＥ：Ｒｅｓｏｕｒｃｅ  Ｅｌｅｍｅｎｔ）によって構成されている。また、リソース要素は、１個のＯＦＤＭシンボル（時間方向）と、１個のサブキャリア（周波数方向）とによって構成されている。
【００６０】
以上の点を考慮して、ＣＱＩ調整部１４は、ランク制御部１７によって決定されたランク（同時に送信されている第１下り信号のストリーム数）に基づいて、ＣＱＩの調整値を算出するように構成されている。
【００６１】
例えば、ＣＱＩ調整部１４は、ランク制御部１７によって決定されたランクが「２」である場合、ＣＱＩ受信部１１によって受信された２つのＣＱＩのうちの大きい方をＣＱＩの調整値として選択するように構成されていてもよい。
【００６２】
具体的には、ＣＱＩの調整値を「ＣＱＩａｄｊｕｓｔ」とし、上述の２つのＣＱＩを「ＣＱＩｗｉｄｅｂａｎｄ，１」及び「ＣＱＩｗｉｄｅｂａｎｄ，２」とすると、ＣＱＩの調整値であるＣＱＩａｄｊｕｓｔは、式「ＣＱＩａｄｊｕｓｔ＝ｍａｘ（ＣＱＩｗｉｄｅｂａｎｄ，１，ＣＱＩｗｉｄｅｂａｎｄ，２）」で表される。ここで、ｍａｘ（Ａ，Ｂ）は、ＡとＢのうち大きい値を返す関数である。
【００６３】
また、ＣＱＩ調整部１４は、ランク制御部１７によって決定されたランクが「２」である場合、ＣＱＩ受信部１１によって受信された２つのＣＱＩのうちの小さい方をＣＱＩの調整値として選択するように構成されていてもよい。具体的には、ＣＱＩの調整値を「ＣＱＩａｄｊｕｓｔ」とし、かかる２つのＣＱＩを「ＣＱＩｗｉｄｅｂａｎｄ，１」及び「ＣＱＩｗｉｄｅｂａｎｄ，２」とすると、ＣＱＩの調整値であるＣＱＩａｄｊｕｓｔは、式「ＣＱＩａｄｊｕｓｔ＝ｍｉｎ（ＣＱＩｗｉｄｅｂａｎｄ，１，ＣＱＩｗｉｄｅｂａｎｄ，２）」で表される。ここで、ｍｉｎ（Ａ，Ｂ）は、ＡとＢのうち小さい値を返す関数である。
【００６４】
また、ＣＱＩ調整部１４は、ランク制御部１７によって決定されたランクが「２」である場合、ＣＱＩ受信部１１によって受信された２つのＣＱＩを合計することによって、ＣＱＩの調整値を算出するように構成されていてもよい。
【００６５】
なお、ＣＱＩ調整部１４は、かかる２つのＣＱＩについて、ｄＢ値として合計してもよいし、真値として合計してもよい。
【００６６】
すなわち、ＣＱＩは、移動局ＵＥによって測定されたＳＩＲ（ｄＢ値）を量子化したインデックスであるため、ＣＱＩの単位の次元は、ｄＢ値相当となる。
【００６７】
したがって、ＣＱＩの調整値を「ＣＱＩａｄｊｕｓｔ」とし、かかる２つのＣＱＩを「ＣＱＩｗｉｄｅｂａｎｄ，１」及び「ＣＱＩｗｉｄｅｂａｎｄ，２」とすると、ＣＱＩ調整部１４は、以下の（式１）によって、かかる２つのＣＱＩについて、真値として合計することができる。
【数１】
2010212856.tif 000003
【００６８】
なお、ＣＱＩの調整値を「ＣＱＩａｄｊｕｓｔ」とし、かかる２つのＣＱＩを「ＣＱＩｗｉｄｅｂａｎｄ，１」及び「ＣＱＩｗｉｄｅｂａｎｄ，２」とすると、ＣＱＩ調整部１４は、式「ＣＱＩａｄｊｕｓｔ＝ＣＱＩｗｉｄｅｂａｎｄ，１＋ＣＱＩｗｉｄｅｂａｎｄ，２」によって、かかる２つのＣＱＩについて、ｄＢ値として合計することができる。
【００６９】
また、ＣＱＩ調整部１４は、ランク制御部１７によって決定されたランクが「２」である場合、ＣＱＩ受信部１１によって受信された２つのＣＱＩの平均値に対して所定オフセット値を加えることによって、ＣＱＩの調整値を算出するように構成されていてもよい。
【００７０】
なお、ＣＱＩ調整部１４は、ｄＢ値として当該ＣＱＩの平均値を算出してもよいし、真値として当該ＣＱＩの平均値を算出してもよい。
【００７１】
具体的には、ＣＱＩの調整値を「ＣＱＩａｄｊｕｓｔ」とし、かかる２つのＣＱＩを「ＣＱＩｗｉｄｅｂａｎｄ，１」及び「ＣＱＩｗｉｄｅｂａｎｄ，２」とすると、ＣＱＩ調整部１４は、以下の（式２）によって、かかる２つのＣＱＩについて、真値として当該ＣＱＩの平均値を算出することができる。
【数２】
2010212856.tif 000004
【００７２】
なお、ＣＱＩの調整値を「ＣＱＩａｄｊｕｓｔ」とし、かかる２つのＣＱＩを「ＣＱＩｗｉｄｅｂａｎｄ，１」及び「ＣＱＩｗｉｄｅｂａｎｄ，２」とすると、ＣＱＩ調整部１４は、式「ＣＱＩａｄｊｕｓｔ＝（ＣＱＩｗｉｄｅｂａｎｄ，１＋ＣＱＩｗｉｄｅｂａｎｄ，２）／２」によって、かかる２つのＣＱＩについて、ｄＢ値として平均することができる。
【００７３】
また、ＣＱＩ調整部１４は、ランク制御部１７によって決定されたランクが「２」である場合、ＣＱＩ受信部１１によって受信されたＣＱＩの一方（大きい方又は小さい方）に対して所定オフセット値を加えることによって、ＣＱＩの調整値を算出するように構成されていてもよい。
【００７４】
具体的には、ＣＱＩの調整値を「ＣＱＩａｄｊｕｓｔ」とし、かかる２つのＣＱＩを「ＣＱＩｗｉｄｅｂａｎｄ，１」及び「ＣＱＩｗｉｄｅｂａｎｄ，２」とすると、ＣＱＩの調整値であるＣＱＩａｄｊｕｓｔは、式「ＣＱＩａｄｊｕｓｔ＝ｍａｘ（ＣＱＩｗｉｄｅｂａｎｄ，１，ＣＱＩｗｉｄｅｂａｎｄ，２）＋ＣＱＩｄｉｆｆ」、又は、式「ＣＱＩａｄｊｕｓｔ＝ｍｉｎ（ＣＱＩｗｉｄｅｂａｎｄ，１，ＣＱＩｗｉｄｅｂａｎｄ，２）＋ＣＱＩｄｉｆｆ」で表される。ここで、ＣＱＩｄｉｆｆは、前記所定オフセット値に相当する。
【００７５】
また、ＣＱＩ調整部１４は、ランク制御部１７によって決定されたランクが「２」である場合、ＣＱＩ受信部１１によって受信された２つのＣＱＩの合計値に対して所定オフセット値を加えることによって、ＣＱＩの調整値を算出するように構成されていてもよい。
【００７６】
具体的には、ＣＱＩの調整値を「ＣＱＩａｄｊｕｓｔ」とし、かかる２つのＣＱＩを「ＣＱＩｗｉｄｅｂａｎｄ，１」及び「ＣＱＩｗｉｄｅｂａｎｄ，２」とすると、ＣＱＩの調整値であるＣＱＩａｄｊｕｓｔは、
【数３】
2010212856.tif 000005
【００７７】
で表される。ここで、ＣＱＩｄｉｆｆは、前記所定オフセット値に相当する。
【００７８】
ここで、ＣＱＩ調整部１４は、かかる２つのＣＱＩについて、ｄＢ値として当該ＣＱＩの合計値を算出してもよく、その場合のＣＱＩの調整値であるＣＱＩａｄｊｕｓｔは、式「ＣＱＩａｄｊｕｓｔ＝（ＣＱＩｗｉｄｅｂａｎｄ，１＋ＣＱＩｗｉｄｅｂａｎｄ，２）＋ＣＱＩｄｉｆｆ」で表される。
【００７９】
また、ＣＱＩ調整部１４は、ランク制御部１７によって決定されたランクが「２」である場合、ＣＱＩ受信部１１によって受信された２つのＣＱＩの平均値に対して所定オフセット値を加えることによって、ＣＱＩの調整値を算出するように構成されていてもよい。
【００８０】
具体的には、ＣＱＩの調整値を「ＣＱＩａｄｊｕｓｔ」とし、かかる２つのＣＱＩを「ＣＱＩｗｉｄｅｂａｎｄ，１」及び「ＣＱＩｗｉｄｅｂａｎｄ，２」とすると、ＣＱＩの調整値であるＣＱＩａｄｊｕｓｔは、
【数４】
2010212856.tif 000006
【００８１】
で表される。ここで、ＣＱＩｄｉｆｆは、前記所定オフセット値に相当する。
【００８２】
ここで、ＣＱＩ調整部１４は、かかる２つのＣＱＩについて、ｄＢ値として当該ＣＱＩの平均値を算出してもよく、その場合のＣＱＩの調整値であるＣＱＩａｄｊｕｓｔは、式「ＣＱＩａｄｊｕｓｔ＝（ＣＱＩｗｉｄｅｂａｎｄ，１＋ＣＱＩｗｉｄｅｂａｎｄ，２）／２＋ＣＱＩｄｉｆｆ」で表される。
【００８３】
なお、ＣＱＩ調整部１４は、ランク制御部１７によって決定されたランクが「１」である場合、ＣＱＩ受信部１１によって受信されたＣＱＩを、かかるＣＱＩの調整値としてもよい。
【００８４】
スケジューリング処理部１２は、ＣＱＩ受信部１１によって受信された１つ又は複数のＣＱＩに基づいて、第１下り信号（例えば、ＰＤＳＣＨ信号）に対するスケジューリング処理を行うように構成されている。
【００８５】
適応変復調処理部１３は、ＣＱＩ受信部１１によって受信された１つ又は複数のＣＱＩに基づいて、第１下り信号（例えば、ＰＤＳＣＨ信号）に対する適応変復調処理を行うように構成されている。
【００８６】
具体的には、適応変復調処理部１３は、ＣＱＩ受信部１１によって受信された１つ又は複数のＣＱＩに基づいて、第１下り信号に対して適用すべき符号化率等を決定するように構成されている。
【００８７】
ここで、適応変復調処理部１３は、図６に示す対応表を参照して、ＣＱＩ受信部１１によって受信された１つ又は複数のＣＱＩに対応する符号化率を、第１下り信号に対して適用すべき符号化率として決定するように構成されていてもよい。
【００８８】
適応変復調処理部１５は、ＣＱＩ調整部１４によって算出されたＣＱＩの調整値に基づいて、第２下り信号に対して適用すべき符号化率等を決定するように構成されている。
【００８９】
具体的には、適応変復調処理部１５は、ＣＱＩ調整部１４によって算出されたＣＱＩの調整値に基づいて、第２下り信号に対して適用すべき符号化率等を決定するように構成されている。
【００９０】
例えば、適応変復調処理部１５は、図６に示す対応表を参照して、ＣＱＩ調整部１４によって算出されたＣＱＩの調整値に対応する符号化率を、第２下り信号に対して適用すべき符号化率として決定するように構成されていてもよい。
【００９１】
ここで、適応変復調処理部１３によって参照される対応表及び適応変復調処理部１５によって参照される対応表は、同一のものであってもよいし、異なるものであってもよい。
【００９２】
送信電力制御処理部１６は、ＣＱＩ調整部１４によって算出されたＣＱＩの調整値に基づいて、第２下り信号の送信電力を決定するように構成されている。
【００９３】
例えば、送信電力制御処理部１６は、図６に示す対応表を参照して、ＣＱＩ調整部１４によって算出されたＣＱＩの調整値に対応する送信電力を、第２下り信号の送信電力として決定するように構成されていてもよい。
【００９４】
（本発明の第１の実施形態に係る移動通信システムの動作）
以下、図７を参照して、本実施形態に係る移動通信システムの動作について、具体的には、本実施形態に係る無線基地局ｅＮＢの動作について説明する。
【００９５】
図７に示すように、ステップＳ１０１において、無線基地局ｅＮＢは、第１下り信号に対して適用すべきランクが「１」であるか否かについて判定する。
【００９６】
かかるランクが「１」である場合、ステップＳ１０２において、無線基地局ｅＮＢは、移動局ＵＥから受信したＣＱＩに基づいて、第２下り信号についての適応変復調処理及び送信電力制御処理を行う。
【００９７】
一方、かかるランクが「１」以外である場合、無線基地局ｅＮＢは、ステップＳ１０３において、移動局ＵＥから受信したＣＱＩを調整し、ステップＳ１０４において、調整したＣＱＩに基づいて、第２下り信号についての適応変復調処理及び送信電力制御処理を行う。
【００９８】
なお、上述の実施形態では、ランク制御部１７によって決定されたランクが「２」である場合について説明したが、本発明は、かかる場合に限定されず、ランク制御部１７によって決定されたランクが「２」以上である場合にも、同様に適用可能である。
【００９９】
また、上述の実施形態では、ＣＱＩとして「Ｗｉｄｅｂａｎｄ  ＣＱＩ」を用いる場合について説明したが、本発明は、かかる場合に限定されず、ＣＱＩとして「Ｓｕｂｂａｎｄ  ＣＱＩ」を用いる場合にも、同様に適用可能である。
【０１００】
（本発明の第１の実施形態に係る移動通信システムの作用・効果）
本発明の第１の実施形態に係る移動通信システムによれば、ＭＩＭＯ方式が適用されている場合に、第１下り信号に対して適用されるランクが「１」以外になった場合であっても、移動局ＵＥから報告されたＣＱＩを調整することによって、第２下り信号に対して、適切な適応変復調処理及び送信電力制御処理を施すことができる。
【０１０１】
以上に述べた本実施形態の特徴は、以下のように表現されていてもよい。
【０１０２】
本実施形態の第１の特徴は、ＭＩＭＯ方式を用いて、移動局ＵＥに対して、送信ストリーム数が適応的に可変となる第１下り信号及び送信ストリーム数が固定的に１である第２下り信号を同時に送信することができる無線基地局ｅＮＢであって、移動局ＵＥによって送信されたＣＱＩ（第１下り信号の受信品質を示す情報）を受信するように構成されているＣＱＩ受信部１１と、ランク（同時に送信されている第１下り信号のストリーム数）に基づいて、ＣＱＩの調整値を算出するように構成されているＣＱＩ調整部１４と、算出された調整値に基づいて、第２下り信号についての適応変復調処理及び送信電力制御処理を行うように構成されている適用変復調処理部１５及び送信電力制御部１６とを具備することを要旨とする。
【０１０３】
本実施形態の第１の特徴において、ランクが「２」以上である場合（同時に送信されている第１下り信号のストリーム数が複数である場合）、ＣＱＩ調整部１４は、受信したＣＱＩのうちの最も大きいもの又は最も小さいもののいずれかをＣＱＩの調整値として選択するように構成されていてもよい。
【０１０４】
本実施形態の第１の特徴において、ランクが「２」以上である場合、ＣＱＩ調整部１４は、受信したＣＱＩを合計することによって、ＣＱＩの調整値を算出するように構成されていてもよい。
【０１０５】
本実施形態の第１の特徴において、ランクが「２」以上である場合、ＣＱＩ調整部１４は、受信したＣＱＩを平均することによって、ＣＱＩの調整値を算出するように構成されていてもよい。
【０１０６】
本実施形態の第１の特徴において、ランクが「２」以上である場合、ＣＱＩ調整部１４は、受信したＣＱＩのいずれか１つに対して所定オフセット値を加えることによって、ＣＱＩの調整値を算出するように構成されていてもよい。
【０１０７】
本実施形態の第１の特徴において、ランクが「２」以上である場合、ＣＱＩ調整部１４は、受信したＣＱＩの合計値に対して所定オフセット値を加えることによって、ＣＱＩの調整値を算出するように構成されていてもよい。
【０１０８】
本実施形態の第１の特徴において、ランクが「２」以上である場合、ＣＱＩ調整部１４は、受信したＣＱＩの平均値に対して所定オフセット値を加えることによって、ＣＱＩの調整値を算出するように構成されていてもよい。
【０１０９】
本実施形態の第１の特徴において、第１下り信号は、ＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャネル）を介して送信されるダイナミックスケジューリング（Ｄｙｎａｍｉｃ  ｓｃｈｅｄｕｌｉｎｇ）が適用されている下りデータ信号である。
【０１１０】
本実施形態の第１の特徴において、第２下り信号は、ＰＤＣＣＨ（物理下り制御チャネル）を介して送信される下り制御信号、ＰＨＩＣＨ（物理ＨＡＲＱインディケータチャネル）を介して送信される送達確認信号、ＰＣＦＩＣＨ（物理制御フォーマットインディケータチャネル）を介して送信される制御フォーマット信号、又は、ＰＤＳＣＨ（物理下り共有チャネル）を介して送信されるセミパーシステントスケジューリング適用時の下りデータ信号の少なくとも１つであってもよい。
【０１１１】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１１２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１１４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１５】
ｅＮＢ…無線基地局
１１…ＣＱＩ受信部
１２…スケジューリング処理部
１３、１５…適応変復調処理部
１４…ＣＱＩ調整部
１６…送信電力制御処理部
１７…ランク制御部
１８…送信モード制御部
【図１】
2010212856.tif 000007
【図２】
2010212856.tif 000008
【図３】
2010212856.tif 000009
【図４】
2010212856.tif 000010
【図５】
2010212856.tif 000011
【図６】
2010212856.tif 000012
【図７】
2010212856.tif 000013